(57)【要約】【課題】紙面上に香料を塗布する固形状の香料塗布材であって、紙面上において書き味が良好で、さらっとした塗布面を有し、かつ透明性に優れた塗布面を提供する。【解決手段】少なくともゲル形成剤および香料からなり、さらに好ましくはゲル形成剤および香料、水、保湿剤から構成し、ゲル形成剤としては脂肪族カルボン酸のアルカリ金属塩あるいはアンモニウム塩を用い、ゲル形成剤が１０〜３０重量％、水が２０〜７０重量％、保湿剤が１５〜４５重量％、香料が０．０１〜３０重量％の範囲にあることを特徴とする。【特許請求の範囲】
【請求項１】
少なくともゲル形成剤および香料からなる香料塗布材。
【請求項２】
少なくともゲル形成剤、水、保湿剤および香料からなる香料塗布材。
【請求項３】
ゲル形成剤が、脂肪族カルボン酸のアルカリ金属塩あるいはアンモニウム塩であることを特徴とする請求項１又は２記載の香料塗布材。
【発明の詳細な説明】
【０００１】
【発明の属する技術分野】
本発明は、紙面上に香料を塗布する固形状の香料塗布材に関するものである。
【０００２】
【従来の技術】
従来、香料を含有した固形物としては、化粧料を代表として芳香剤、脱臭剤など多種の用途において用いられており、その構成として形状保持基材であるワックスや油状物中に香料が含有されたものが一般的に知られている（例えば、特許文献１参照）。固形物中に香料を含有させた場合、液状のものと比べ使い勝手がよく、香料の化学的安定性が高くなり、特に化粧料などでは均一に塗布できるなどの特徴を有する。ところで、香料を付与する用途の一つに、肌の上ではなく、例えば印刷された画面上に付与する場合が挙げられる。即ち、最近パソコンによるカラー印刷などが普及しているが、印刷されたイラストや絵の上などに、対象物に対応した香りを有する香料を付与することにより、色彩の臨場感や写実性を高めたり、文字に香りを付与することで、より一層文字のイメージを高めるなど、種々の効果を奏するのである。
【０００３】
【特許文献１】
特開２００１−１９６１３号公報
特開２００１−２９４８８９号公報
【０００４】
【発明が解決しようとする課題】
しかしながら、固形化粧料のような香料が含有された固形状の香料塗布材を紙面上に用いると、書き味や塗布面の透明性などに問題が生じる。つまり、形状保持基材であるワックスや油状物は、紙面上においては書き味が重く、塗布面がべとついた感触となり、さらに紙面での透明性が十分ではなく、塗布面が残ってしまうのである。
【０００５】
【課題を解決するための手段】
本発明は、紙面上において書き味がよく、かつ透明性に優れた塗布面となり、文字やイラスト、絵の上などの任意箇所に、印刷面の色や形状をそのままにして香りが付与できる固形状の香料塗布材を提供するものであり、少なくともゲル形成剤および香料からなることを要旨とし、さらには少なくともゲル形成剤、水、保湿剤および香料から構成され、ゲル形成剤として脂肪族カルボン酸のアルカリ金属塩あるいはアンモニウム塩を用いることを要旨とする。
【０００６】
【発明の実施の形態】
本発明の香料塗布材の形状保持基材として、少なくともゲル形成剤を用いる。ゲル形成剤は香料との混和性がよく、均一な量の香料を紙面に付与でき、また書き味が滑らかで、紙面に塗布したときの塗布面がさらっとした感触となり、さらに透明性に優れている。即ち、塗布するときに擦過によりゲル形成剤が液状化し、紙面に塗布されたのちに紙の上に塗布面を形成する。この塗布面が透明性を有し、かつ香料を含んでいるために、例えば印刷物の上に塗布しても塗布面が現れることなく、所定の箇所に香りのみを付与することができるのである。
【０００７】
ゲル形成剤を用いたときには、さらに水およびグリセリンなどの保湿剤を配合するのが紙面上においては特に好適であり、その配合割合として例えばゲル形成剤は香料塗布材全量に対し１０〜３０重量％、水は２０〜７０重量％、保湿剤は１５〜４５重量％の範囲が好適である。ゲル形成剤が１０重量％以下だと固形化しにくくなり、３０重量％以上だと書き味などの塗布性が劣化する。水が２０重量％以下になると塗布性が低下し、７０重量％以上では機械的強度が劣化し、折れ易くなる。保湿剤が１５重量％以下になると水が蒸発し易くなって経時性に問題が生じ、４５重量％以上では塗布性が劣化する。なお、ゲル形成剤を主材として用いた場合には、必要に応じてワックスや樹脂を添加してもよい。
【０００８】
ゲル形成剤としては、従来公知のものであれば何でもよく、例えば炭素原子８〜３６個を有する脂肪族カルボン酸のアルカリ金属塩あるいはアンモニウム塩や、ジベンジリデンソルビトール類、ベンザル化ソルビット、アミノ酸系油などが挙げられ、特には脂肪族カルボン酸のアルカリ金属塩あるいはアンモニウム塩が塗布面の透明度、書き味の点から好適であり、例えばミリスチン酸ナトリウム、ステアリン酸ナトリウム、パルミチン酸ナトリウムなどが挙げられ、これらを単独又は組み合わせて用いる。
【０００９】
ゲル形成剤の良好な書き味および透明性を妨げない範囲で樹脂を添加してもよく、従来公知の天然樹脂、合成樹脂などが用いられ、特に水溶性樹脂が好ましく、例えばアラビアゴム、ポリビニルピロリドン、メチルセルロース、カルボキシメチルセルロース、ポリビニルアルコール、ポリエチレングリコールなどが挙げられ、これらを単独又は組み合わせて用いる。この他、アクリル系樹脂や合成ゴムなどのエマルジョンを用いることもできる。樹脂を用いることにより、香料の保持効果が向上する。
【００１０】
本発明に用いられる香料としては、公知の天然香料、合成香料、あるいは天然香料と合成香料とを組み合わせたものを用いることができる。印刷した文字やイラスト、絵などにおいて、その文字や絵柄などから想起される香りを有する香料が添加された香料塗布材を用いて塗布することによって、想起される箇所に香料を付与することができ、香りによる臨場感や写実性を高めることができるのである。香料の含有量としては、香料の種類および芳香の強さにより適宜設定すればよいが、特には塗布材全重量に対し０．０１〜３０重量％の範囲が好ましい。０．０１重量％以下だと適切な香りが得られにくく、３０重量％以上では香りが強すぎ、また機械的強度が劣化する。
【００１１】
香料が充填された香料塗布材は、そのまま放置しておくと香料が飛散してしまうため、使用時以外は密封した容器に入れておくか、あるいはマイクロカプセル内に香料を封止しておいて塗布材内に添加するなどの方法が挙げられる。
【００１２】
上述した成分の他に、本発明の効果を妨げない範囲で、例えばタルク、シリカ、クレイ、炭酸カルシウムなどの体質材、界面活性剤、消泡剤、防腐剤、防黴剤、粘度調節剤などを添加してもよい。
【００１３】
本発明の香料塗布材の製造方法として、まず所定量の水にゲル形成剤を混合して溶解させ、次に保湿剤と香料および必要に応じて樹脂などを入れて分散させ、概ね９０℃に加熱、溶解させて得られたゾル状の液状物を所定の型に流し込み、冷却固化させることによりゲル状の固化物を作製し、型から取り出して香料塗布材とする。
次に、本発明の実施例を示す。なお、「部」は「重量部」である。
【００１４】
【実施例】
（実施例１）
ステアリン酸ナトリウム                ２０部
グリセリン                            ２８部
香料（ローズ）                        １０部
水                                    ４２部
上記配合を用いて、水中にステアリン酸ナトリウムを投入し、撹拌しながら約９０℃に加熱する。ステアリン酸ナトリウムが十分に溶解したのち、グリセリンおよびバラ系の香料を加えて撹拌する。得られた無色のゾル状液状物を、内径８ｍｍの型に流し込んで冷却固化する。この円筒状の固化物を型より取り出し、外径８ｍｍで長さ４０ｍｍの無色固形状の香料塗布材とした。得られた香料塗布材を用いて、カラー印刷画面のバラの花に塗布した。書き味はきわめて滑らかで、さらっとした透明な塗布面となり、印刷の色はそのままでバラのイメージを彷彿させる香りが付与された。
【００１５】
（比較例１）
ポリエチレンワックス                  ４５部
カルナバワックス                      ４５部
香料（ローズ）                        １０部
上記配合を用いて、加熱ニーダーで液状としたワックス中に香料を添加して、無色の液状物を作製し、あとは実施例１と同様の方法にて、外径８ｍｍで長さ４０ｍｍの固形状の香料塗布材とした。得られた香料塗布材の書き味は重く、塗布面が残り、さらにその塗布面もべとついた感触となった。
【００１６】
【発明の効果】
本発明の香料塗布材は、書き味が滑らかで、さらっとした透明な塗布面となり、下地の色あるいは文字の上などにそれとわからずに香りを付与することができ、特に香りを付けたい箇所に任意に付与することができる。また固体状であるため、塗布し易く、香料の付与量も一定となってむらがなく、さらに化学的にも安定したものとなる。